(57)【要約】【課題】建物の利用者による環境改善を意識した行動を促すシステムを実現する。【解決手段】待ち受け状態表示画面４０は、任意の画面遷移の要求を待ち受ける初期状態の画面である。取得情報レポート表示画面４２は、取得情報の変化の状態もしくは集計値を含む取得情報レポートを表示する画面である。解説データ表示画面４４は、取得情報レポートに含まれるデータもしくは用語の特定項目についてその解説と環境改善方法とを示す解説データを表示する画面である。操作受付手段８２からの要求により画面遷移制御手段８０が、取得情報レポート表示画面４２から解説データ表示画面４４への画面遷移を制御したとき、その制御の履歴を含む意識度データ６６を生成して、記憶装置１４に記憶させる意識度演算手段８６を設ける。これを利用者２８に通知する。【選択図】図２
2013069180.tif 000002
【特許請求の範囲】
【請求項１】
記憶装置に、待ち受け状態表示画面と、取得情報レポート表示画面と、解説データ表示画面とが記憶されており、
前記待ち受け状態表示画面は、任意の画面遷移の要求を待ち受ける初期状態の画面であり、
前記取得情報レポート表示画面は、取得情報の変化の状態もしくは集計値を含む取得情報レポートを表示する画面であり、
前記解説データ表示画面は、前記取得情報レポートに含まれるデータもしくは用語の特定項目についてその解説と環境改善方法とを示す解説データを表示する画面であり、
建物の外部の気温を含む外部機関による環境測定結果を示す外部データと、建物の周辺及び内部の気温と電力消費量の実測値を含む実測データとを取得して、記憶装置に記憶させる情報取得手段と、
前記情報取得手段の取得した最新の取得情報を使用して，前記記憶装置に記憶された前記取得情報レポートを更新する取得情報レポート更新手段と、
利用者による画面遷移を要求する操作を受け付けて、該当する表示画面への画面遷移を要求するコマンドを画面遷移制御手段に送信する操作受付手段と、
前記操作受付手段による画面遷移の要求を受け付けて、前記記憶装置に記憶されたいずれかの表示画面を選択してディスプレイに表示する画面遷移制御手段と、
前記操作受付手段からの要求により前記画面遷移制御手段が、前記取得情報レポート表示画面から前記解説データ表示画面への画面遷移を制御したとき、その制御の履歴を含む意識度データを生成して、前記記憶装置に記憶させる意識度演算手段と、
を備えたことを特徴とする環境意識度解析システム。
【請求項２】
請求項１に記載の環境意識度解析システムにおいて、
最新の前記意識度データを、前記記憶装置に記憶されたいずれかの表示画面の一部に合成する表示画面合成手段を備えたことを特徴とする環境意識度解析システム。
【請求項３】
請求項１または２に記載の環境意識度解析システムにおいて、
意識度演算手段は、
前記操作受付手段からの要求により前記画面遷移制御手段が、前記取得情報レポート表示画面から前記解説データ表示画面への画面遷移を制御したとき、その制御の回数を含む意識度データを生成して、記憶装置に記憶させることを特徴とする環境意識度解析システム。
【請求項４】
請求項１乃至３のいずれかに記載の環境意識度解析システムにおいて、
接近検出手段は、
前記利用者がディスプレイに近付いたときその接近を検出して、前記待ち受け状態表示画面から前記取得情報レポート表示画面への画面遷移を要求することを特徴とする環境意識度解析システム。
【請求項５】
請求項１乃至４のいずれかに記載の環境意識度解析システムにおいて、
環境監視手段は、
取得情報に含まれた特定のデータを監視して、この特定のデータが閾値を越えて変化したことを検出したとき、待ち受け状態表示画面から取得情報レポート表示画面への画面遷移を要求することを特徴とする環境意識度解析システム
【請求項６】
コンピュータを、請求項１乃至５のいずれかに記載の手段として機能させる環境意識度解析プログラム。
【請求項７】
請求項６に記載の環境意識度解析プログラムを記録したコンピュータで読み取り可能な記録媒体。
【発明の詳細な説明】
【技術分野】
【０００１】
本発明は、環境情報を表示して、環境改善に対する意識の程度を明らかにすることができる、環境意識度解析システムとその制御のためのコンピュータプログラムと記録媒体に関する。
【背景技術】
【０００２】
住宅内外の温湿度や住宅設備の運転状況に関する情報を自動的に取得して、取得データを居住者のために表示する装置が知られている（特許文献１参照）。また、居住者に対して、住宅のエネルギ消費を削減するために望ましい行動を促すため、環境情報とともに、予め想定した特定の行動を促すような「アドバイス」や「メッセージ」を表示する装置も知られている（特許文献２参照）。
【先行技術文献】
【特許文献】
【０００３】
【特許文献１】特開２００６−３００４２８号公報
【特許文献２】特開２００９−２５９１２５号公報
【発明の概要】
【発明が解決しようとする課題】
【０００４】
上記の特許文献に示された環境情報表示装置により生成されるアドバイスやメッセージは、例えば、リビングルームの壁に取り付けられたディスプレイや、テレビジョンの画面に表示される。しかしながら、これらの情報は、居住者が知りたいと望んだときに表示すれば足りる。それにもかかわらず、取得した情報の変化をリアルタイムで常に表示していると、次第に居住者はその表示を注意して見る意欲を失っていく。例えば、警報音を出力させて「アドバイス」や「メッセージ」を表示しても、そのとき居住者がその場に居なければ見過ごしてしまう。居住者の家族のうちの誰かがその表示に気付いて対処したかどうかも分からない。まして、家族以外の複数の人の共有する建物では、誰かが対処していると思い込んでいると、必要な措置がとられないこともある。
上記の課題を解決するために、本発明は次のような環境意識度解析システムとその制御のためのコンピュータプログラムと記録媒体を提供することを目的とする。
（１）  建物の利用者が、建物の状態を知りたいと思ったときや、建物の利用者に注意を喚起したいときにのみ最新の情報の表示をする。
（２）  最新の情報を見た建物の利用者が、環境の改善を意識して、さらに具体的な「アドバイス」や「メッセージ」を表示させる操作をしたとき、その履歴を記録する。この履歴を、意識度を示すものとして表示する。
【課題を解決するための手段】
【０００５】
以下の構成はそれぞれ上記の課題を解決するための手段である。
〈構成１〉
記憶装置に、待ち受け状態表示画面と、取得情報レポート表示画面と、解説データ表示画面とが記憶されており、前記待ち受け状態表示画面は、任意の画面遷移の要求を待ち受ける初期状態の画面であり、前記取得情報レポート表示画面は、取得情報の変化の状態もしくは集計値を含む取得情報レポートを表示する画面であり、前記解説データ表示画面は、前記取得情報レポートに含まれるデータもしくは用語の特定項目についてその解説と環境改善方法とを示す解説データを表示する画面であり、建物の外部の気温を含む外部機関による環境測定結果を示す外部データと、建物の周辺及び内部の気温と電力消費量の実測値を含む実測データとを取得して、記憶装置に記憶させる情報取得手段と、前記情報取得手段の取得した最新の取得情報を使用して，前記記憶装置に記憶された前記取得情報レポートを更新する取得情報レポート更新手段と、利用者による画面遷移を要求する操作を受け付けて、該当する表示画面への画面遷移を要求するコマンドを画面遷移制御手段に送信する操作受付手段と、前記操作受付手段による画面遷移の要求を受け付けて、前記記憶装置に記憶されたいずれかの表示画面を選択してディスプレイに表示する画面遷移制御手段と、前記操作受付手段からの要求により前記画面遷移制御手段が、前記取得情報レポート表示画面から前記解説データ表示画面への画面遷移を制御したとき、その制御の履歴を含む意識度データを生成して、前記記憶装置に記憶させる意識度演算手段と、を備えたことを特徴とする環境意識度解析システム。
【０００６】
〈構成２〉
構成１に記載の環境意識度解析システムにおいて、最新の前記意識度データを、前記記憶装置に記憶されたいずれかの表示画面の一部に合成する表示画面合成手段を備えたことを特徴とする環境意識度解析システム。
【０００７】
〈構成３〉
構成１または２に記載の環境意識度解析システムにおいて、意識度演算手段は、前記操作受付手段からの要求により前記画面遷移制御手段が、前記取得情報レポート表示画面から前記解説データ表示画面への画面遷移を制御したとき、その制御の回数を含む意識度データを生成して、記憶装置に記憶させることを特徴とする環境意識度解析システム。
【０００８】
〈構成４〉
構成１乃至３のいずれかに記載の環境意識度解析システムにおいて、接近検出手段は、前記利用者がディスプレイに近付いたときその接近を検出して、前記待ち受け状態表示画面から前記取得情報レポート表示画面への画面遷移を要求することを特徴とする環境意識度解析システム。
【０００９】
〈構成５〉
構成１乃至４のいずれかに記載の環境意識度解析システムにおいて、環境監視手段は、取得情報に含まれた特定のデータを監視して、この特定のデータが閾値を越えて変化したことを検出したとき、待ち受け状態表示画面から取得情報レポート表示画面への画面遷移を要求することを特徴とする環境意識度解析システム
【００１０】
〈構成６〉
コンピュータを、構成１乃至５のいずれかに記載の手段として機能させる環境意識度解析プログラム。
【００１１】
〈構成７〉
構成６に記載の環境意識度解析プログラムを記録したコンピュータで読み取り可能な記録媒体。
【発明の効果】
【００１２】
〈構成１の効果〉
利用者が解説データ表示画面を見た履歴を、記憶装置に記録させて、各種の手段で利用者に通知するようにすれば、環境改善に対する意識の程度を明らかにすることができる。
〈構成２の効果〉
利用者が解説データ表示画面を見た履歴を、いずれかの表示画面に自動的に合成して表示すれば、利用者は環境改善に対する意識の程度を簡単に目にすることができる。
〈構成３の効果〉
利用者が、画面を切り替えて、解説データ表示画面を何回見たか、その回数をいずれかの表示画面に自動的に表示すれば、利用者の意識度を数値で分かり易く表現することができる。
〈構成４の効果〉
常時は待ち受け状態表示画面を表示しておき、利用者が接近したときに取得情報レポート表示画面に切り替える。利用者が画面の切り替わりに気付けば、取得情報レポート表示画面に注意を向けさせることができる。
〈構成５の効果〉
予め指定しておいた部屋の温度といった特定のデータが大きく変化することがある。天候の急変により、気温が急激に変化することがある。その状態を取得情報レポート表示画面に表示して、環境改善のための行動を促すという効果がある。
【図面の簡単な説明】
【００１３】
【図１】実施例１の環境意識度解析装置１０を示す機能ブロック図である。
【図２】上記のシステムの機能を説明する説明図である。
【図３】各種イベントと画面遷移の関係を示す説明図である。
【図４】特定項目とその解説と、閾値の説明図である。
【図５】画面遷移制御動作のフローチャートである。
【図６】フラグオン信号の生成処理等の動作フローチャートである。
【発明を実施するための形態】
【００１４】
上記の図面で明らかなように、本発明では、建物の利用者２８が建物の環境に関する情報を見たいと思ったときや、あるいは建物の利用者２８にその情報を知らせて注意を喚起したい場合にのみ、ディスプレイ２０に該当する情報を表示する。待ち受け状態とは違う画面が表示されるので、その内容を確認しようという動機を利用者２８に与えることができる。また、画面が切り替わっているときは、その情報が有用であるという認識を利用者２８に与えることができる。また、予め設けた閾値５６以上に環境が変化したとき、待ち受け状態とは違う画面を表示し続ければ、建物の利用者２８がそれに気付いて対処することができる。
【００１５】
さらに、建物の利用者２８が環境改善を意識して、解説データ表示画面４４への切り替えを要求した場合には、その後必要な措置が施された可能性が高い。これを、「省エネルギ行動」に結びつく操作をしたものとして、回数をカウントしたり評価をしたりする。これにより、更なる省エネルギ行動を促したり、望ましい省エネルギ行動を継続させる動機を与えたりすることができる。以下、本発明の実施の形態を実施例毎に図面を参照しながら詳細に説明する。
【実施例１】
【００１６】
図１は実施例１の環境意識度解析装置１０を示す機能ブロック図である。
図のシステムは、例えば、ＨＥＭＳシステム（ホームエネルギマネージメントシステム）を制御するためのコンピュータ１２により制御される。例えば、環境情報収集専門のコンピュータが制御しても構わない。コンピュータ１２は、記憶装置１４と演算処理装置１６とを備えている。また、コンピュータ１２の入出力インタフェース１９には、ディスプレイ２０やタッチパネル２２や人感センサ２４が接続されている。
【００１７】
記憶装置１４には、待ち受け状態表示画面４０、取得情報レポート表示画面４２、解説データ表示画面４４、取得情報レポート４６、外部データ４８、実測データ５０、閾値５６、解説データ５８、意識度データ６６、履歴６８等のデータが記憶されている。演算処理装置１６は、コンピュータプログラムによって、情報取得手段７６、取得情報レポート更新手段７８、画面遷移制御手段８０、操作受付手段８２、意識度演算手段８６、表示画面合成手段８８、接近検出手段９０あるいは環境監視手段９２として機能する。
【００１８】
さらに、コンピュータ１２を設置した建物には、水道流量計、ガス流量計、電力測定センサ群、温度測定センサ群、湿度測定センサ群、照度測定センサ群等を含む計測ユニット４９が各所に取り付けられている。これらは、測定器を用いて独自に取得した実測データ５０である。一方、通信装置３４は、天気予報等の外部データ４８を取得する受信機である。コンピュータ１２は、こうしたデータを取得できるように、計測ユニット４９や通信装置３４と接続されている。
【００１９】
図２は、上記のシステムの機能を説明する説明図である。
図１と図２を参照しながら、システム全体の機能を説明する。上記のコンピュータ１２は、状況に応じて、ディスプレイ２０に対して、取得情報レポート表示画面４２と解説データ表示画面４４と取得情報レポート４６のいずれかを表示する。ディスプレイ２０の画面全体を覆うように、タッチパネル２２が取り付けられており、利用者２８が画面に手を触れると、画面遷移要求コマンドがコンピュータ１２に入力するように構成されている。また、ディスプレイ２０の周辺に人感センサ２４が取り付けられており、利用者の接近を検出してその検出信号がコンピュータ１２に入力するように構成されている。
【００２０】
［待ち受け状態表示画面］
待ち受け状態表示画面４０は、任意の画面遷移の要求を待ち受ける初期状態のディスプレイ２０への表示画面である。待ち受け状態表示画面４０には、例えば、スリープ画面、メニュー画面、カレンダー表示画面といった、定形画面が含まれる。図２の例では、カレンダーが表示されている。この画面は定型画面で、利用者が操作しない限り一定の表示形式を維持している。なお、ここでは、画面を全く表示しないスリープ状態も待ち受け状態画面４０として扱う。
【００２１】
［取得情報レポート表示画面]
取得情報レポート４６は、取得情報５２の変化の状態もしくは集計値を表やグラフにより表現したものを含む。図の例では、現在の消費電力や今日一日の消費エネルギ等を金額換算した値や、建物の周辺部を含む各部の温度等を表示している。取得情報５２は、情報取得手段７６が取得する外部データ４８や実測データ５０等である。特に、取得情報５２に、注目すべき特定のデータ５４が含まれる場合には、その特定のデータ５４の変化の状態や集計値を含む。
【００２２】
特定のデータ５４というのは、悪化したときに改善をすることが望ましいデータで、例えば、建物の各部屋の気温や湿度である。また、特定のデータ５４には、外気温や風速等も含めるとよい。建物の各部の気温急変の直接的原因になり、窓の開閉やエアコンのオンオフ等により環境が改善されることがあるからである。
【００２３】
取得情報レポート表示画面４２は、取得情報レポート４６をディスプレイ２０に表示する画面である。例えば、二階の寝室の室温が急激に上昇したといった場合に、その状態を数値やグラフによって表示する。なお、利用者の注意を促すために、急変したデータを示す特定項目６０の部分を高輝度表示したり、ブリンクさせたりするようにしてもよい。
【００２４】
［解説データ表示画面］
解説データ５８は、取得情報レポート４６に含まれるデータや用語を含む特定項目６０についてその解説６２と環境改善方法６４とを示すデータである。解説データ表示画面４４は、解説データ５８をディスプレイ２０に表示する画面である。利用者２８は、取得情報レポート表示画面４２を見て、環境改善の必要性を認識し、解説データ表示画面４４を見て、具体的な改善方法を知ることができる。
【００２５】
例えば、図の例では、「現在の電力」「本日のエネルギ金額」といった注釈と、建物の周辺及び内部の気温の実測データ５０が表示されている。ここで、「現在の電力」や「本日のエネルギ金額」や、各実測データ５０の部分が特定項目６０である。この部分をクリックすると、解説データ表示画面４４に切り替わる。図の例では、温度の高い部屋の実測データ５０をクリックしたところ、その解説６２が表示された。さらに、対策というボタンをクリックすると、詳細表示画面７４が表示される。これは、温度の高い部屋の環境改善のために様々な解説データ５８を見る行為である。解説データ５８を見て適当な対策が施される可能性が高い。これが、意識度データ６６により明らかになる。
【００２６】
［情報取得手段］
情報取得手段７６は、外部データ４８と実測データ５０とを取得して、記憶装置１４に記憶させる機能を持つ。外部データ４８は、気象庁等の外部機関により測定されたデータである。気温や湿度、風力、風向、日照時間等、利用可能な様々なデータを参考情報として取得する。建物の周辺と内部には、温度センサや湿度センサ等の測定センサ群が取り付けられており、計測ユニット４９を通じて取得するデータを実測データ５０とする。また、電力消費量を測定する電力計やスマートメータ等が設けられている。これらから取得されるデータも、実測データ５０である。
【００２７】
［取得情報レポート更新手段］
情報取得手段７６は、例えば、一定時間毎に外部データ４８と実測データ５０を取得する。取得情報レポート更新手段７８は、情報取得手段７６が取得した最新の取得情報５２を使用して，記憶装置１４に記憶された取得情報レポート４６を更新する。
【００２８】
［操作受付手段］
操作受付手段８２はマンマシンインタフェースである。例えば、ディスプレイ２０に一体化されたタッチパネル２２で構成する。所定のボタンに触れることで、画面の切り替えを要求できる。切り替えボタンの付いたリモートコントローラでもよい。以下の実施例では、操作受付手段８２を、画面遷移を要求する操作に使用する。
【００２９】
操作受付手段８２を使用して利用者２８が新たな画面の表示を要求する操作をした場合に、操作受付手段８２は、該当する表示画面への画面遷移を要求するコマンド３０を画面遷移制御手段８０に送信する。
【００３０】
［画面遷移制御手段］
操作受付手段８２から、該当する表示画面への画面遷移を要求するコマンド３０を受信したとき、画面遷移制御手段８０は、該当する表示画面を記憶装置１４から読み出して、ディスプレイ２０に転送する。また、接近検出手段９０や環境監視手段９２といった自動制御モジュールから画面遷移の要求があった場合に、該当する表示画面を記憶装置１４から読み出して、ディスプレイ２０に転送する。
【００３１】
［接近検出手段］
取得情報５２の確認を希望する利用者２８がディスプレイ２０に近付いたときには、ディスプレイ２０に自動的に主な取得情報５２を表示する。接近検出手段９０は、利用者２８の接近を検出すると、表示画面遷移制御手段８０に対して、自動的に、待ち受け状態表示画面４０から取得情報レポート表示画面４２への画面遷移を要求するコマンド３０を送信する。
【００３２】
［環境監視手段］
環境監視手段９２は、取得情報５２に含まれた特定のデータ５４の変化を監視する。例えば、室温が適温とされた温度よりも大きく下がったり上昇したりしたときに、利用者２８に注意を促すように取得情報レポート４６の表示を要求する。閾値５６は、温度、湿度、風力等、その種類に応じて適値に設定する。特定のデータ５４は、例えば、居室の気温とか、寝室の湿度というように、場所も含めて特定するとよい。
【００３３】
［意識度記録手段］
利用者２８が取得情報レポート表示画面４２を見て、特定のデータ５４の変化や集計値に興味を持ったとき、解説データ表示画面４４への切り替えを要求する。実際に解説データ５８をみようとする行為が環境を改善し省エネルギに結びつく。そこで、操作受付手段８２からの要求により画面遷移制御手段８０が、取得情報レポート表示画面４２から解説データ表示画面４４への画面遷移を制御したとき、その履歴６８を記録する。この履歴６８を含むデータが意識度データ６６である。
【００３４】
履歴６８には、画面を切り替えた日時と切り替え前後の画面の種別表示をリストしておくとよい。解説データ５８を表示させた回数をカウントして表示するとよい。表示させた解説データ５８を識別する情報と表示時刻とを対応付けて記録しておいてもよい。例えば、一週間に何回解説データ５８を見たかといったデータを継続して記録すると、意識度の推移を調べることができる。
【００３５】
画面遷移制御手段８０が、取得情報レポート表示画面４２から解説データ表示画面４４への画面遷移を制御したとき、画面遷移の回数を１回とカウントするとよい。解説データ表示画面４４は、図２の例に示した詳細表示画面７４に展開される。解説データ表示画面４４は多数を用意することが好ましい。どの解説データ５８が良く読まれているか、どの解説データ５８は利用されないか、等の解析もできるから、例えば、ネットワークを通じてデータ提供者にフィードバックができる。
【００３６】
［表示画面更新手段］
最新の意識度データ６６をいずれかの表示画面に表示して、利用者２８に知らせる。このために、記憶装置１４に記憶されたいずれかの表示画面を取り出して、その一部に合成する。図２の例では、待ち受け状態表示画面４０の一部に意識度データ６６を合成している。これで、意識度データ６６が最も良く目に付く。また、取得情報レポート表示画面４２の一部に意識度データ６６を合成すれば、より意識が高まるように機能する。なお、意識度データ６６を、テレビジョン受像機や利用者２８の所有する携帯電話等に転送してもよい。
【００３７】
図３は、各種イベントと画面遷移の関係を示す説明図である。
このシステムでは、平常時に、ディスプレイ２０に対して待ち受け状態表示画面４０を表示させる。そして、特定のデータ５４が閾値５６を越えたときと、利用者がディスプレイ２０に接近したときに、取得情報レポート表示画面４２を表示させる。取得情報レポート表示画面４２を表示中に、利用者が特定項目６０をクリックすると、画面遷移要求のためのコマンド３０が入力される。
【００３８】
このとき、制御の履歴６８が記録され、制御の回数７０がカウントされる。その内容で、意識度データ６６が更新される。同時に、解説データ表示画面４４が表示される。その後は、任意のタイミングで利用者により復帰操作がされると、取得情報レポート表示画面４２の再表示に戻り、あるいは、待ち受け状態表示画面４０の表示に戻る。復帰操作がされるまで、取得情報レポート表示画面４２の表示が継続していると、利用者不在のときに取得情報レポート表示画面４２へ画面遷移した場合でも、利用者は、その変化に気付く。
【００３９】
図４は特定項目とその解説と、閾値の説明図である。
図のように、外部データ４８や実測データ５０の閾値５６を、例えば、合計使用電力＊＊Ｗ以上、部屋毎の電力消費継続時間が＊＊時間以上、部屋毎の温度が＊＊度（冬季と夏期で取扱が異なる）、部屋毎の温度と外気温の差、部屋毎の湿度等に設定しておく。そして、「消費電力が一時的に大きくなっています」とか「テレビの消費電力が長時間大きいままです」とか、「（夏の）日中の室内温度が接し２６度を下回っています。」といった解説６２を表示する。解説６２は解説データ表示画面４４に含めて表示する。そして、各メッセージに対して、その環境改善方法６４を、詳細表示画面７４等で表示するとよい。
【実施例２】
【００４０】
図５は画面遷移制御動作のフローチャートである。
以下のフローチャートを用いて、上記のコンピュータ１２のプログラムによる制御動作の具体例を説明する。まず、ステップＳ１１では、画面遷移制御手段８０が、アイドル状態になるまで待機する。アイドル状態を検出すると、ステップＳ１２で、待ち受け状態表示画面４０の出力をする。ステップＳ１３では、画面遷移の制御に使用するフラグオンの信号検出をする。フラグオンの信号生成処理は次の図６で説明する。
【００４１】
ステップＳ１３でフラグオン信号を検出すると、ステップＳ１４に進む。それ以外の場合はステップＳ１１に戻る。ステップＳ１４では、画面遷移制御手段８０が画面遷移を実行し、取得情報レポート表示画面４２の出力をする。ステップＳ１５では、操作受付手段８２が、タッチパネル２２による操作の受付をする。ステップＳ１６では、操作受付手段８２が、画面遷移の要求の入力を受け付けたかどうかという判断をする。この判断の結果がイエスのときはステップＳ１７の処理に移行し、ノーのときはステップＳ１５の処理に戻る。
【００４２】
ステップＳ１７では、画面遷移の要求が１回増加したので、意識度演算手段８６が、制御の履歴６８を更新する。例えば、「＊＊時＊＊分画面遷移要求＋１」といったデータを追加するとよい。ステップＳ１８では、制御回数のカウントをする。ステップＳ１９では、このカウント値を使用して、意識度演算手段８６が、意識度データ６６を生成する。ステップＳ２０では、表示画面合成手段８８が、意識度データ６６を待ち受け状態表示画面４０に合成して、その画面の更新をする。ステップＳ２１では、画面遷移制御手段８０が、解説データ表示画面４４を出力する。
【００４３】
図６はフラグオン信号の生成処理等の動作フローチャートである。
ステップＳ３１では、情報取得手段７６が、通信装置３４を利用して外部データ４８の取得をする。ステップＳ３２では、取得した外部データ４８を記憶装置１４に記憶する。ステップＳ３３では、情報取得手段７６が、計測ユニット４９を利用して実測データ５０を取得する。ステップＳ３４では、実測データ５０を記憶装置１４に記憶する。
【００４４】
ステップＳ３５では、取得情報レポート更新手段７８が、記憶装置１４に記憶された新たな外部データ４８や実測データ５０を参照して、取得情報レポート４６を更新する。ステップＳ３６では、環境監視手段９２が、取得した外部データ４８や実測データ５０を閾値５６と比較する。ステップＳ３７では、環境監視手段９２が、取得情報が閾値を越えたかどうかという判断をする。この判断の結果がイエスのときはステップＳ３８の処理に移行し、ノーのときはステップＳ３９の処理に移行する。ステップＳ３８では、環境監視手段９２がフラグオン信号を有効にする。
【００４５】
ステップＳ３９では、環境監視手段９２が、取得した外部データ４８や実測データ５０の変化量を閾値５６と比較する。なお、図１に示した記憶装置１４に記憶された閾値５６は、特定項目毎にそれぞれ設けられているものとする。その例は、図４に示したとおりである。ステップＳ４０では、環境監視手段９２が、取得情報が閾値を越えたかどうかという判断をする。この判断の結果がイエスのときはステップＳ４１の処理に移行し、ノーのときはステップＳ４２の処理に移行する。ステップＳ４１では、環境監視手段９２がフラグオン信号を有効にする。
【００４６】
ステップＳ４２では、接近検出手段９０が、人感センサ２４の出力を監視して、人の接近を検出したかどうかという判断をする。この判断の結果がイエスのときはステップＳ４３の処理に移行し、ノーのときはステップＳ４４の処理に移行する。ステップＳ４３では、接近検出手段９０がフラグオン信号を有効にする。以上のようにして、待ち受け状態表示画面４０から取得情報レポート表示画面４２への画面の自動的な遷移が制御できる。
【００４７】
なお、上記のコンピュータの演算処理装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【符号の説明】
【００４８】
１２  コンピュータ
１４  記憶装置
１６  演算処理装置
１９  入出力インタフェース
２０  ディスプレイ
２２  タッチパネル
２４  人感センサ
２８  利用者
３０  コマンド
３４  通信装置
４０  待ち受け状態表示画面
４２  取得情報レポート表示画面
４４  解説データ表示画面
４６  取得情報レポート
４８  外部データ
４９  計測ユニット
５０  実測データ
５２  取得情報
５４  特定のデータ
５６  閾値
５８  解説データ
６０  特定項目
６２  解説
６４  環境改善方法
６６  意識度データ
６８  履歴
７０  制御の回数
７２  意識度データ表示領域
７４  詳細表示画面
７６  情報取得手段
７８  取得情報レポート更新手段
８０  画面遷移制御手段
８２  操作受付手段
８６  意識度演算手段
８８  表示画面合成手段
９０  接近検出手段
９２  環境監視手段
【図１】
2013069180.tif 000003
【図２】
2013069180.tif 000004
【図３】
2013069180.tif 000005
【図４】
2013069180.tif 000006
【図５】
2013069180.tif 000007
【図６】
2013069180.tif 000008